(57)【特許請求の範囲】
【請求項１】
矩形板状の畳床と、前記畳床に敷設され、前記畳床の側面にその端部が接着された畳表とで構成された敷き込み畳であって、
前記畳表は、経糸が撚糸、緯糸が和紙テープをこより状に巻いてイ草と同じ太さに形成した筒状抄繊糸で編織され、中央の模様織り組織部分と、その前記緯糸方向の両側辺部に目積織りにより織り上げられた目積織り部分とを有し、
前記模様織り組織部分に前記畳床の表面と側面の角部分に沿う折り曲げ線が形成され、前記目積織り部分が前記畳床の側面部分に接着されていることを特徴とする敷き込み畳。
【発明の詳細な説明】
【技術分野】
【０００１】
本発明は、畳縁のない敷き込み畳において、畳床に取り付けられた畳表の側面部分の解れが生じにくい敷き込み畳に関する。
【背景技術】
【０００２】
近年、生活様式が洋風化する一方で畳の風合いは根強く支持されており、洋室の床に「敷き込み畳」と呼ばれる、半畳ほどの大きさの畳縁のない畳を敷き込み、和室或いは日本間として使用することが広く行われている（特許文献１参照）。
【０００３】
この敷き込み畳は、木質繊維板や合板あるいはその他のボード等からなる矩形板状の畳床の表面と側面を、天然のイ草や人工の筒状抄繊糸などを編織して得た畳表で覆い、畳床の側面に巻き込んだ畳表の端部を接着剤で貼着固定することによって製作されている。
【０００４】
畳表は、種々の織り方（例えば、綾織）で編織することにより、種々の模様が施された意匠性の高い敷き込み畳を提供することができる。そして、このような意匠性の高い敷き込み畳を部屋に敷き込むことにより、デザイン性の高い室内空間を構築できる。
【先行技術文献】
【特許文献】
【０００５】
【特許文献１】登録実用新案第３１２７１５８号公報（図１）
【発明の概要】
【発明が解決しようとする課題】
【０００６】
ところで、畳表１は、図６に示すように、細い撚糸を経糸２とし、太い天然のイ草や人工の筒状抄繊糸などを緯糸３として編織される。そして、長尺の畳表１の原反１０（図４参照）の中央部分に前述の意匠性の高い模様織り組織部分５が形成され、その両側の長辺部分に目が細かく織られた部分（目積織り部分６）が設けられる。そして、この長尺の畳表１の原反１０を所定の寸法に切断して１枚の畳表１として使用する。したがって１枚の畳表１は、両側の２辺に目積織り部分６があり、これに直交する他の２辺７は、緯糸３に沿うこととなり、経糸２が直交する。
【０００７】
この目が細かく織られた目積織り部分６は、目が細かい分、意匠性の高い模様織り組織部分５に比べて曲げ易く、畳床４の角部分４ｋに沿いやすい。そして、目積織り部分６に直交する他の２辺７は、前述のように緯糸３に沿うので、この辺７を曲げる場合、これに直交する細い撚糸（経糸）２を緯糸３に平行に曲げることになるので、簡単に折り曲げることができる。
【０００８】
それ故、畳床４に畳表１を敷設するとき、目積織り部分６に直交する他の２辺７では、これを折り曲げてそのまま畳床４の側面４ｓに接着し、目積織り部分６側では、この目積織り部分６で曲げ、折り曲げた目積織り部分６を畳床４の側面４ｒに接着剤８で貼り付けている。そのため、畳表１の目積織り部分６側の２辺では、意匠性の高い織り組織部分５の両側に模様の異なるこの目が細かい目積織り部分６が細い幅で表面に見え、畳の意匠が損なわれて見栄えが悪いという問題があった。
【０００９】
これに対して、意匠性の高い模様織り組織部分５を畳床４の側面４ｒまで曲げ込み、この模様織り組織部分５を接着しようとすると、この模様織り組織部分５は織りが粗いために緯糸３に対して経糸２の絡みが悪くて緯糸３が解れ易く接着性が悪い。なお、接着剤８を多量に塗布して緯糸３全体が接着されるようにしてもよいが、接着剤８が多いと畳表１の表面側にあふれる事があり外観を悪くする。したがって、接着剤８もある程度控えめにせざるを得ない。
【００１０】
本発明は、かかる従来の問題点に鑑みてなされたもので、意匠性の高い模様織り組織部分が畳全面に現れて見栄えがよく、しかも、畳の側面において緯糸の解れが生じにくく施工性に配慮した敷き込み畳を提供することにある。
【課題を解決するための手段】
【００１１】
請求項１に記載した発明は、「矩形板状の畳床４と、畳床４に敷設され、畳床４の側面４ｒ・４ｓにその端部が接着された畳表１とで構成された敷き込み畳Ａであって、
畳表１は、経糸２が撚糸、緯糸３が和紙テープをこより状に巻いてイ草と同じ太さに形成した筒状抄繊糸で編織され、中央の模様織り組織部分５と、その緯糸３方向の両側辺部に目積織りにより織り上げられた目積織り部分６とを有し、
模様織り組織部分５に畳床４の表面と側面の角部分４ｋに沿う折り曲げ線が形成され、目積織り部分６が畳床４の側面４ｒに接着されている」ことを特徴とする敷き込み畳Ａである。
【発明の効果】
【００１２】
請求項１に記載の敷き込み畳Ａによれば、模様織り組織部分５に畳床４の表面と側面の角部分４ｋに沿う折り曲げ線が形成され、密に織られている目積織り部分６が畳床４の側面４ｒに接着されているので、経糸２と緯糸３が密に編織されている目積織り部分６の一部でも畳床４の側面４ｒに接着されておれば、目積織り部分６の全体が接着されていない簡易な接着であったとしても目積織り部分６における解れが生じない。
【図面の簡単な説明】
【００１３】
【図１】この発明の敷き込み畳を示す斜視図である。
【図２】図１の第１実施例の部分拡大断面図である。
【図３】図１の第２実施例の部分拡大断面図である。
【図４】本発明に使用される畳表の原反の平面図である。
【図５】図４を所定の寸法に切断した畳表１枚の平面図である。
【図６】従来例の部分拡大断面図である。
【発明を実施するための形態】
【００１４】
以下、本発明を図面に従って説明する。図１は本発明にかかる敷き込み畳Ａの斜視図であり、図２〜３はその部分拡大断面図である。これらの図が示すように、本発明の敷き込み畳Ａは、畳床４と、畳表１と、必要に応じて設けられる不織布９とで構成されている。
【００１５】
畳床４は、正方形（畳半畳）または長方形（畳一畳）のような矩形板状のインシュレーションボード、合板、繊維板などで構成される畳ボード４ａ、その上に一体的に設けられた発泡ポリスチレンシートのようなクッション材４ｂにより構成されている。畳表１の裏面には、不織布９がその全面に裏打ちされており（ホットメルトのような接着剤で接着されている）、この不織布９が裏打ちされた畳表１が、畳床４の表面に貼着されている。なお、不織布９を用いず，畳床４の表面に畳表１を直接貼着するようにしてもよい。
【００１６】
畳表１の原反１０は、細い撚り糸を経糸２、筒状抄繊糸を緯糸３とし、例えばジャカード織機のような織機で経糸２を上下させ、その間に緯糸３を通して編織された長尺のもので、その中央には多様な模様の模様織り組織部分５が形成されており、その両側辺部分には、経糸２と緯糸３とが密に織り込まれた目積織り部分６が形成されている（図４参照）。
【００１７】
模様織り組織部分５は、畳床４と同幅或いはそれをわずかに超え、畳床４の板厚を超えない幅に形成されている。模様織り組織部分５は、綾織り、緯朱子織りその他、様々な織り方で織られる。これに対して、目積織り部分６は、平織りのように経糸２と緯糸３を交互に組み合わせて密に織られた部分で、模様織り組織部分５の両側、すなわち畳表１の原反１０の両側辺に形成される。
【００１８】
筒状抄繊糸は、和紙テープを細いこより状に巻いて形成したイ草と殆んど同じ太さの糸で、緯糸３に用いられる。筒状抄繊糸には、耐久性、防汚性、耐摩耗性、耐水性やその他畳表として必要な性質が付与されている。また、経糸２としては、麻、綿等が用いられる。
【００１９】
上記のような畳表１の原反１０は、畳床４に合わせて裁断され、一枚の畳表１として使用される（図５参照）。切断された畳表１の経糸方向２の幅Ｗは、少なくとも畳床４の幅にその板厚ｔの２倍以上の大きさを加えた大きさに切断される。
【００２０】
このように切断された１枚の畳表１の裏面全面に不織布９を裏打ちし、その四隅を畳床４に合わせて切除し、次に畳表１の経糸２側の両辺１ａを緯糸３に沿って折り曲げ、例えば、ホットメルトのような接着剤８で畳床４の側面４ｓに接着する。
【００２１】
そして、次に緯糸３方向の両辺１ｂを模様織り組織部分５と目積織り部分６との境界（図２参照）、又は、模様織り組織部分５の端（図３参照）で折り曲げ、畳床４の残る２辺（側面）４ｒに目積織り部分６をホットメルトのような接着剤８で接着する。上記折り曲げ部分が畳床４の表面と側面の角部分４ｋに沿う折り曲げ線である。
【００２２】
不織布９が裏打ちされている畳表１と畳床４との接着は、前述の逆で、緯糸３方向の両辺１ｂを先に接着し、経糸２方向の両辺１ａを後で接着するようにしてもよいし、四辺１ａ，１ｂを一度に接着するようにしてもよい。接着後、畳表１の四辺１ａ，１ｂが畳床４の底面から出ておれば、余分な部分は畳床４の底面に沿って切除され、切除された畳表１の四辺１ａ，１ｂは、畳床４の底面に一致して貼着された状態となる。
【００２３】
畳床４の側面４ｒに貼着された目積織り部分６は、平織りのように経糸２と緯糸３とが交互に密に編み込まれているため、目積織り部分６のいずれかの緯糸３が下地となる不織布９と接着剤で接着されておれば（不織布９を設けない場合は、目積織り部分６のいずれかの緯糸３が接着剤８で下地となる畳床４の側面４ｒに接着されておれば）、仮に接着された緯糸３の隣の緯糸３が接着されていなかったとしても経糸２が絡まって接着した緯糸３と一体になり、この接着されていなかった緯糸３が解れてしまうというようなことがない。つまり、経糸２と緯糸３が密に編織されている目積織り部分６の一部でも下地となる不織布９或いは畳床４の側面４ｒに接着されておれば、目積織り部分６の全体が接着されていない簡易な接着であったとしても目積織り部分６における解れが生じない。
【００２４】
なお、畳表１の折り曲げは、前述のように、模様織り組織部分５と目積織り部分６との境界、又は、模様織り組織部分５で行われるが、畳床４の角部分４ｋに沿って行われるため、目積織り部分６での折り曲げとほぼ同等の加工性を有し、きちっと折り曲げることができる。
【００２５】
次に、経糸２側の両端辺１ａであるが、この部分は太い緯糸３に沿って折り曲げられるため、換言すれば、細い撚糸２を折り曲げるので、簡単に折り曲げることができる。そして、この折り曲げ部分をホットメルトのような接着剤８で畳床４の側面４ｓに接着するが、この部分は細い撚糸（経糸）２で太い緯糸３が全体にわたって一体化しているので、少量の接着剤でも、畳表１の太い緯糸３が下地の不織布９から解れることはない（不織布９を設けない場合は、畳表１と畳床４の側面４ｓとが直接接着剤８にて接着されるが、少量の接着剤８でも畳床４の側面４ｓから解れることなく接着することができる）。これにより、畳床４の上面全面は、模様織り組織部分５で覆われることになり、意匠性を損なわない。
【符号の説明】
【００２６】
Ａ：敷き込み畳、Ｗ：切断された畳表１の経糸方向２の幅，ｔ：畳床４の板厚，１：畳表，１ａ：経糸２側の辺，１ｂ：緯糸３側の辺，２：経糸，３：緯糸，３ａ：、４:畳床，４ａ：畳ボード，４ｂ：クッション材，４ｃ：不織布，４ｋ：角部分，４ｒ：畳床４の側面，４ｓ：畳床４の側面，５:模様織り組織部分，６:目積織り部分，７：目積織り部分６に直交する他の辺，８：接着剤，９：不織布，１０:原反
【図１】
0006316782.tif 000002
【図２】
0006316782.tif 000003
【図３】
0006316782.tif 000004
【図４】
0006316782.tif 000005
【図５】
0006316782.tif 000006
【図６】
0006316782.tif 000007